(57)【特許請求の範囲】
【請求項１】
印刷要求および前記印刷要求を中止する信号を送信する情報処理装置と通信するための通信手段と、
受信した印刷要求に基づき、画像を記録用紙に形成するための画像形成手段と、
前記印刷要求を中止する信号を前記情報処理装置から受信すると、前記印刷要求が中止されたことを示す情報を、記録用紙に形成するように、前記画像形成手段を制御するための制御手段と、
前記記録用紙の表裏を反転させて搬送するための搬送手段とを含み、
前記制御手段は、前記印刷要求を中止する信号を前記情報処理装置から受信すると、前記情報を、前記印刷要求に基づく画像が形成された記録用紙の裏面に形成するように、前記搬送手段及び前記画像形成手段を制御するための手段を含む、画像形成装置。
【請求項２】
前記制御するための手段は、前記印刷要求に基づく画像が形成された記録用紙の表面に余白がない場合に、前記印刷要求を中止する信号を前記情報処理装置から受信すると、前記情報を記録用紙の裏面に形成するように、前記搬送手段及び前記画像形成手段を制御するための手段を含む、請求項１に記載の画像形成装置。
【請求項３】
前記制御するための手段は、前記印刷要求を中止する信号を前記情報処理装置から受信すると、前記情報を、前記印刷要求に基づく画像が途中まで形成された記録用紙の裏面の余白部分に形成するように、前記搬送手段及び前記画像形成手段を制御するための手段を含む、請求項１に記載の画像形成装置。
【請求項４】
印刷要求および前記印刷要求を中止する信号を送信する情報処理装置と通信するための通信手段と、
受信した印刷要求に基づき、画像を記録用紙に形成するための画像形成手段と、
前記印刷要求を中止する信号を前記情報処理装置から受信すると、前記印刷要求が中止されたことを示す情報を、記録用紙に形成するように、前記画像形成手段を制御するための制御手段とを含み、
前記制御手段は、前記印刷要求を中止する信号を前記情報処理装置から受信すると、前記情報を、前記印刷要求に基づく画像が形成された記録用紙の次に排出される記録用紙に形成するように、前記画像形成手段を制御するための手段を含む、画像形成装置。
【請求項５】
前記制御するための手段は、前記印刷要求に基づく画像が形成された記録用紙に余白がない場合に、前記印刷要求を中止する信号を前記情報処理装置から受信すると、前記情報を次に排出される記録用紙に形成するように、前記画像形成手段を制御するための手段を含む、請求項４に記載の画像形成装置。
【請求項６】
印刷要求および前記印刷要求を中止する信号を送信する情報処理装置と通信するための通信手段と、
受信した印刷要求に基づき、画像を記録用紙に形成するための画像形成手段と、
前記印刷要求を中止する信号を前記情報処理装置から受信すると、前記印刷要求が中止されたことを示す情報を、記録用紙に形成するように、前記画像形成手段を制御するための制御手段と、
前記記録用紙の表裏を反転させて搬送するための搬送手段とを含み、
前記制御手段は、前記印刷要求を中止する信号を前記情報処理装置から受信すると、前記情報を、前記印刷要求に基づく画像が形成された記録用紙における前記画像に重ねて形成するように、前記搬送手段及び前記画像形成手段を制御するための手段を含む、画像形成装置。
【請求項７】
前記情報は、前記画像に重ねて形成される斜線である、請求項６に記載の画像形成装置。
【請求項８】
前記情報は、前記画像に重ねて形成される、互いに交差する線分である、請求項６に記載の画像形成装置。
【請求項９】
前記画像形成装置は、前記情報をユーザが設定するための設定手段をさらに含む、請求項１〜請求項８のいずれかに記載の画像形成装置。
【請求項１０】
前記画像形成装置は、表示態様が変更されることにより前記記録用紙に強調して形成されるように前記情報を生成するための生成手段をさらに含む、請求項１〜請求項９のいずれかに記載の画像形成装置。
【請求項１１】
前記画像形成装置は、前記印刷要求を中止する信号を前記情報処理装置から受信すると、前記印刷要求が中止されたことを示す情報を表示するための表示手段をさらに含む、請求項１〜請求項１０のいずれかに記載の画像形成装置。
【発明の詳細な説明】
【技術分野】
【０００１】
本発明は、電子写真方式等を使用した画像形成装置であって、少なくともコンピュータからの印刷要求に応答して記録用紙に画像を印刷するプリンタ機能（このほかに、複写機能（コピー機能）、ファクシミリ機能、スキャナ機能等を備えていても構わない。）を備えた画像形成装置に関し、特に、コンピュータにおいて印刷処理がキャンセルされた場合に画像形成装置から出力された記録用紙がページの最後まで印刷されて使用できる記録用紙であるのかそうではないのかを、ユーザが混同して判断を誤ることを回避することのできる、画像形成装置に関する。
【背景技術】
【０００２】
複写機能またはプリンタ機能を備えた画像形成装置は、普通紙またはＯＨＰ等の記録媒体上に画像を形成する。この画像形成装置は、画像形成の高速性、画像品質およびコストなどから電子写真方式が採用されることが多い。また、このような画像形成装置においては、通信機能をさらに備え、スキャンした画像データを他の装置へ送信する機能を備えるものもある。
【０００３】
画像形成装置のプリンタ機能を使用して、複数ページから構成される印刷データ（画像データと同じ。）を印刷するようにコンピュータから画像形成装置へ要求した場合、画像形成装置は受信した画像データ（この画像データはコンピュータのプリンタドライバで生成されるデータ）を用いて、記録媒体（以下においては記録用紙と記載する。）上に、画像を形成する。
【０００４】
このとき、印刷を要求した内容に誤りがあることをユーザが見つけた場合には、コンピュータにおいて（プリンタドライバを用いて）印刷処理をキャンセルする。この場合、キャンセル信号がコンピュータから画像形成装置へ送信されて、画像形成装置は画像形成前のページについては印刷データを記録用紙に印刷しないように処理する。なお、印刷要求が重複した場合には印刷ジョブは待ち行列に入って待機する。この待機状態で印刷処理がキャンセルされた場合には、画像形成装置から印刷された記録用紙が何ら出力されないので上述したような混同も生じないのであるが、本発明においては印刷ジョブの途中まで処理（印刷）されて画像形成装置から出力された場合を対象としている。
【０００５】
このようにして、印刷要求がキャンセルされたとき（印刷が正常に終了しなかったとき）において、ページの途中まで印刷される場合がある。特開２００６−１６８８７８号公報（特許文献１）は、このように印刷が正常に終了しなかった場合を含めて、印刷が正常終了した場合、途中で中止した場合、または、印刷が失敗した場合において記録用紙に余白部分が発生した際に、無駄なく、かつ、使いやすい用紙として印刷済みの記録用紙をカットする印刷装置を開示する。この印刷装置は、印刷が正常終了、中止、または失敗した場合において、記録用紙の両面のインク付着量を検出するインク付着量検出部と、記録養子の紙の種類を判断する種類検出部と、記録用紙の両面のインク付着量および紙種により記録用紙が再利用可能か否かを判定する再利用判定部と、再利用可能と判定された場合に、印刷に使用する用紙サイズ、印刷する画像サイズおよび画像データを検出することによって、余白サイズを検出して定形サイズに用紙をカット可能か否かを判定する余白サイズ判定部とを備える。
【０００６】
この印刷装置によると、他の印刷装置でも使用可能な定形用紙を獲得するための判定が可能である。この判定結果を用いて定型用紙にカットすることにより記録用紙の余白部分を無駄なく使用することができる。
【先行技術文献】
【特許文献】
【０００７】
【特許文献１】特開２００６−１６８８７８号公報
【発明の概要】
【発明が解決しようとする課題】
【０００８】
印刷要求をキャンセルしたタイミングによっては、複数ページの中間ページの最後まで（文書データであれば最終行まで）印刷される場合も、中間ページの途中までしか印刷されない場合もある。中間ページの最後まで印刷されるようにユーザが制御することは、困難である。また、中間ページの最後まで印刷されるように画像形成装置で制御するにしても、複雑な処理が必要となる。上述した特許文献１においては、このように途中まで印刷されることを前提とした場合に、記録用紙へのインク付着量に基づいて記録用紙の余白を求めて、使いやすい用紙として再利用することを目的としている。
【０００９】
このように、印刷要求をキャンセルした場合には、中間ページの最後まで印刷された記録用紙と、中間ページの途中までしか印刷されていない記録用紙とが混在する。ユーザによっては、印刷要求した複数のページの中の最終ページに誤りを発見した場合、中間ページの最後まで印刷された記録用紙は、そのページまでは正常に印刷されかつ誤りもないので、正常に印刷された記録用紙として利用できる。そして、誤りを見つけた最終ページのみについて印刷を再度要求することが、近年求められている資源節約の観点から好ましい。
【００１０】
典型的には、複数のページの１ページ目のみを印刷したいユーザが誤って全ページの印刷を要求してしまった場合に、それに気付いてすぐに印刷要求をキャンセルし、再度１ページ目のみを印刷を要求する場合がある。このような場合、１ページ目の途中まで印刷された記録用紙が画像形成装置から排出されるとともに、再要求した１ページ目の最後まで印刷された記録用紙が画像形成装置から排出される。１ページ目の途中まで印刷された記録用紙と１ページ目の最後まで印刷された記録用紙とが、排出トレイに混在している。
【００１１】
しかしながら、ユーザは、排出トレイに混在している、ページの最後まで印刷された記録用紙と、ページの途中までしか印刷されていない記録用紙とを、識別することは困難である。特に、５０行程度の文書データにおいて最後の数行が印刷されているか否かを一目では判断しにくい。
【００１２】
すなわち、特許文献１においては、印刷途中で中止（キャンセル）した場合の記録用紙の余白を有効活用することが開示されているに過ぎず、印刷途中で中止（キャンセル）した用紙が正常に印刷されたものか、途中までしか印刷されていないものであるのかを、一目でユーザが判断することが困難であることを解決できていない。さらに、印刷要求した以外のユーザは、排出された記録用紙が正常に印刷され使用できるものであるのか否かについては全く判断できず、また、他人の印刷物を廃棄物として処理することもできないため、排出トレイに放置されていることにならざるを得ない。
【００１３】
したがって、本発明の目的は、コンピュータからの印刷要求に応答して記録用紙に印刷データが印刷されている印刷処理がユーザの操作に基づいてキャンセルされた場合に、画像形成装置から出力された記録用紙を、使用できる記録用紙であるのか、そうではないのかを、ユーザが混同することなく分別することのできる、画像形成装置を提供することである。
【課題を解決するための手段】
【００１４】
本発明のある局面に係る画像形成装置は、印刷要求および印刷要求を中止する信号を送信する情報処理装置と通信するための通信手段と、受信した印刷要求に基づき、画像を記録用紙に形成するための画像形成手段と、印刷要求を中止する信号を情報処理装置から受信すると、印刷要求が中止されたことを示す情報を、記録用紙に形成するように、画像形成手段を制御するための制御手段とを含む。
【００１５】
このような画像形成装置においては、情報処理装置（コンピュータ）から受信した印刷要求に基づいて記録用紙画像を形成しているときに、印刷要求を中止する信号を情報処理装置から受信する場合がある。このような場合、印刷要求が中止されたことを示す情報が、記録用紙に形成される。このため、画像形成装置から出力された記録用紙を見たユーザは、この記録用紙は途中で印刷が中止されたことが分かる。その結果、画像形成装置から出力された記録用紙を、使用できる記録用紙であるのか、そうではないのかを、ユーザが混同することなく分別することができる。
【００１６】
この制御手段は、情報を、印刷要求に基づく画像が途中まで形成された記録用紙の余白部分に形成するように、画像形成手段を制御するための手段を含むように構成することができる。
【００１７】
このようにすると、画像が途中まで形成された記録用紙の余白部分に、印刷要求に基づく画像に重ならないように情報が形成されるので、印刷要求が中止されたことを示す情報を正しく認識できる。
【００１８】
この画像形成装置は、記録用紙の表裏を反転させて搬送するための搬送手段をさらに含むように構成することができ、この場合において、制御手段は、情報を、印刷要求に基づく画像が形成された記録用紙の裏面に形成するように、画像形成手段を制御するための手段を含むように構成することができる。ここで、制御手段は、印刷要求に基づく画像が形成された記録用紙の表面に余白がない場合に、情報を記録用紙の裏面に形成するように、画像形成手段を制御するための手段を含むように構成することができる。さらに、制御手段は、情報を、印刷要求に基づく画像が途中まで形成された記録用紙の裏面の余白部分に形成するように、画像形成手段を制御するための手段を含むように構成することができる。
【００１９】
このようにすると、画像が形成された記録用紙の裏面に、または裏面の余白部分に、印刷要求に基づく画像に重ならないように情報が形成されるので、印刷要求が中止されたことを示す情報を正しく認識できる。
【００２０】
この制御手段は、情報を、印刷要求に基づく画像が形成された記録用紙の次に排出される記録用紙に形成するように、画像形成手段を制御するための手段を含むように構成することができる。ここで、制御手段は、印刷要求に基づく画像が形成された記録用紙に余白がない場合に、情報を次に排出される記録用紙に形成するように、画像形成手段を制御するための手段を含むように構成することができる。
【００２１】
このようにすると、画像が形成された記録用紙の次に排出される記録用紙に情報が形成されるので、印刷要求が中止されたことを示す情報を正しく認識できる。
【００２２】
この画像形成装置は、記録用紙の表裏を反転させて搬送するための搬送手段をさらに含むように構成することができ、この場合において、制御手段は、情報を、印刷要求に基づく画像が形成された記録用紙における画像に重ねて形成するように、画像形成手段を制御するための手段を含むように構成することができる。ここで、この情報は、画像に重ねて形成される、斜線であったり、互いに交差する線分であったりするように構成することができる。
【００２３】
このようにすると、画像が途中まで形成された記録用紙の画像（の全体）に重ねて、斜線を引いたり、互いに交差する線分を引いたりして、情報が形成されるので、印刷要求が中止されたことを示す情報を一目で認識できる。
【００２４】
この画像形成装置は、情報をユーザが設定するための設定手段をさらに含むように構成することができる。
【００２５】
印刷要求が中止されたことを示す情報を、ユーザが要求する文言を用いて他のユーザに伝えることができる。
【００２６】
この画像形成装置は、表示態様が変更されることにより記録用紙に強調して形成されるように情報を生成するための生成手段をさらに含むように構成することができる。
【００２７】
記録用紙上に形成させる情報が強調されるので、印刷要求が中止されたことを示す情報をユーザが容易に認識することができる。
【００２８】
この画像形成装置は、印刷要求を中止する信号を情報処理装置から受信すると、印刷要求が中止されたことを示す情報を表示するための表示手段をさらに含むように構成することができる。
【００２９】
印刷要求が中止されたことを示す情報が表示されるので、印刷要求を中止されたことをユーザが容易に認識することができる。
【発明の効果】
【００３０】
本発明に係る画像形成装置によると、コンピュータからの印刷要求に応答して記録用紙に印刷データが印刷されている印刷処理がユーザの操作に基づいてキャンセルされた場合に、画像形成装置から出力された記録用紙を、使用できる記録用紙であるのか、そうではないのかを、ユーザが混同することなく分別することができる。
【図面の簡単な説明】
【００３１】
【図１】本発明の第１の実施の形態に係る画像形成装置の内部構造を示す断面図である。
【図２】本発明の第１の実施の形態に係る制御部のブロック図である。
【図３】図１の画像形成装置へ印刷を要求するコンピュータにおいて実行される印刷要求プログラムの制御構造を示すフローチャートである。
【図４】図２の制御部で実行される印刷処理プログラムの制御構造を示すフローチャート（その１）である。
【図５】図２の制御部で実行される印刷処理プログラムの制御構造を示すフローチャート（その２）である。
【図６】図２の制御部で実行されるコメント修飾処理プログラムの制御構造を示すフローチャートである。
【図７】図２の制御部で実行されるキャンセル表示処理プログラムの制御構造を示すフローチャートである。
【図８】図２の表示部に表示される画面例を示す図（その１）である。
【図９】図２の表示部に表示される画面例を示す図（その２）である。
【図１０】図２の表示部に表示される画面例を示す図（その３）である。
【図１１】本発明の第１の実施の形態に係る画像形成装置から排出される記録用紙における印刷例を示す図（その１）である。
【図１２】本発明の第１の実施の形態に係る画像形成装置から排出される記録用紙における印刷例を示す図（その２）である。
【図１３】本発明の第１の実施の形態に係る画像形成装置から排出される記録用紙における印刷例を示す図（その３）である。
【図１４】本発明の第１の実施の形態に係る画像形成装置から排出される記録用紙における印刷例を示す図（その４）である。
【図１５】本発明の第１の実施の形態に係る画像形成装置から排出される記録用紙における印刷例を示す図（その５）である。
【図１６】本発明の第１の実施の形態に係る画像形成装置から排出される記録用紙における印刷例を示す図（その６）である。
【図１７】本発明の第２の実施の形態に係る画像形成装置の制御部で実行される印刷処理プログラムの制御構造を示すフローチャートである。
【図１８】本発明の第２の実施の形態に係る画像形成装置から排出される記録用紙における印刷例を示す図である。
【発明を実施するための形態】
【００３２】
以下、本発明の実施の形態について、添付図面に基づき詳細に説明する。なお、以下の説明および図面では、同一の部品には同一の符号を付してある。それらの機能および名称も同一である。したがって、それらについての詳細な説明は繰返さない。以下においては、本発明の実施の形態に係る画像形成装置をタンデム形式のフルカラータイプとして説明するが、他の形式（たとえば４サイクル）のフルカラータイプでもよく、モノクロタイプであっても構わない。
【００３３】
＜第１の実施の形態＞
図１は、本発明の第１の実施の形態に係る画像形成装置１００の内部構造を示す断面図である。この画像形成装置１００は、後述する印刷キャンセル処理を実行する点が特徴である。なお、後述するように、本発明の他の実施の形態に係る画像形成装置は同じ印刷キャンセル処理において異なる印字処理を行なう点のみが異なり、基本的な画像形成機能はこの画像形成装置１００と同じである。この画像形成装置１００は、いわゆる複合機（ＭＦＰ：Ｍｕｌｔｉｆｕｎｃｔｉｏｎ  Ｐｅｒｉｐｈｅｒａｌ）であって、コピー機能（コピーモード）、ファクシミリ送受信機能（ファクシミリモード）、プリンタ機能（プリンタモード）およびスキャナ機能（スキャナモード）を有する。以下において、図１を参照して、記録用紙に画像を形成する機能（コピーモード、ファクシミリ受信モードおよびプリンタモードにおいて使用）について説明する。
【００３４】
［画像形成装置の構造］
この画像形成装置（ＭＦＰ）１００は、情報処理装置（コンピュータ）からネットワーク回線を介して伝達された画像データ（印刷データと記載する場合がある。）に応じて、所定の記録用紙（シートと記載する場合がある。）に対して多色の画像または単色の画像を形成するもので、大略的には、画像形成装置１００の本体部１１０と、自動原稿処理装置１２０（コピーモードまたはスキャナモードで使用）とにより構成されている。本体部１１０には、画像形成部（後述する図２における画像形成部３６０および記録用紙搬送部３７０）が、露光ユニット１、現像器２、感光体ドラム３、クリーナユニット４、帯電器５、中間転写ベルトユニット６、定着ユニット７、給紙カセット８１、排紙トレイ９１等により構成されている。
【００３５】
本体部１１０の上部には、原稿が載置される透明ガラスからなる原稿載置台９２が設けられ、原稿載置台９２の上側には自動原稿処理装置１２０が取り付けられている。自動原稿処理装置１２０は、原稿載置台９２の上に自動で原稿を搬送する。また、自動原稿処理装置１２０は矢印Ｍ方向に回動自在に構成され、原稿載置台９２の上を開放することにより原稿を手置きで置くことができるようになっている。原稿載置台９２に載置された原稿は、原稿読取部（スキャナ部）により画像データとして読取られる。
【００３６】
この画像形成装置１００において扱われる画像データは、ブラック（Ｋ）、シアン（Ｃ）、マゼンタ（Ｍ）、イエロー（Ｙ）の各色を用いたカラー画像に対応するデータである。従って、現像器２、感光体ドラム３、帯電器５、クリーナユニット４は、各色に応じた４種類の潜像を形成するようにそれぞれ４個ずつ設けられ、ブラック、シアン、マゼンタ、イエローの４つの画像ステーションが構成されている。
【００３７】
帯電器５は、感光体ドラム３の表面を所定の電位に均一に帯電させるために機能する。露光ユニット１には、レーザー出射部および反射ミラー等を備えたレーザースキャニングユニット（ＬＳＵ：Ｌａｓｅｒ  Ｓｃａｎｎｉｇ  Ｕｎｉｔ）として構成される。露光ユニット１は、レーザー光を走査するポリゴンミラーと、ポリゴンミラーによって反射されたレーザー光を感光体ドラム３に導くためのレンズおよびミラー等の光学要素が配置されている。
【００３８】
露光ユニット１は、帯電された感光体ドラム３を、入力された画像データに応じて露光することにより、その表面に、画像データに応じた静電潜像を形成する機能を有する。現像器２は、それぞれの感光体ドラム３上に形成された静電潜像を、４色（Ｙ、Ｍ、Ｃ、Ｋ）のトナーにより顕像化するものである。また、クリーナユニット４は、現像および画像転写後における感光体ドラム３上の表面に残留したトナーを、除去および回収する。
【００３９】
感光体ドラム３の上方に配置されている中間転写ベルトユニット６は、中間転写ベルト６１、中間転写ベルト駆動ローラ６２、中間転写ベルト従動ローラ６３、中間転写ローラ６４、および中間転写ベルトクリーニングユニット６５を備えている。中間転写ローラ６４は、Ｙ、Ｍ、Ｃ、Ｋの各色に対応して４本設けられている。中間転写ベルト駆動ローラ６２、中間転写ベルト従動ローラ６３、および中間転写ローラ６４は、中間転写ベルト６１を張架して回転駆動させる。中間転写ローラ６４は、感光体ドラム３のトナー像を、中間転写ベルト６１上に転写するための転写バイアスを与える。
【００４０】
中間転写ベルト６１は、４つの感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、たとえば厚さ１００μｍ〜１５０μｍ程度のフィルムを用いて無端状に形成されている。
【００４１】
感光体ドラム３から中間転写ベルト６１へのトナー像の転写は、中間転写ベルト６１の裏側に接触している中間転写ローラ６４によって行なわれる。中間転写ローラ６４には、トナー像を転写するために高電圧の転写バイアス（トナーの帯電極性（−）とは逆極性（＋）の高電圧）が印加されている。中間転写ローラ６４は、直径８ｍｍ〜１０ｍｍの金属（たとえばステンレス）軸をベースとし、その表面が導電性の弾性材（たとえばエチレン−プロピレン−ジエンゴム、発泡ウレタン等）により覆われているローラである。この導電性の弾性材により、中間転写ベルト６１に対して均一に高電圧を印加することができる。本実施の形態では転写電極としてローラ形状の電極を使用しているが、それ以外にブラシ形状の電極等を用いることが可能である。
【００４２】
上述のように、各感光体ドラム３上で各色に応じて顕像化された静電潜像は中間転写ベルト６１で積層される。このように、積層された画像情報は中間転写ベルト６１の回転によって、後述の記録用紙と中間転写ベルト６１の接触位置に配置される転写ローラ１０によって記録用紙上に転写される。
【００４３】
このとき、中間転写ベルト６１と転写ローラ１０は所定ニップで圧接されると共に、転写ローラ１０にはトナーを記録用紙に転写させるための電圧が印加される（トナーの帯電極性（−）とは逆極性（＋）の高電圧）。さらに、転写ローラ１０は上記ニップを定常的に得るために、転写ローラ１０または中間転写ベルト駆動ローラ６２のいずれか一方を硬質材料（金属等）とし、他方を弾性ローラ等の軟質材料（弾性ゴムローラ、または発泡性樹脂ローラ等々）としたものが用いられる。
【００４４】
また、上記のように、感光体ドラム３に接触することにより中間転写ベルト６１に付着したトナーまたは転写ローラ１０によって記録用紙上に転写が行なわれず中間転写ベルト６１上に残存したトナーは、次工程でトナーの混色を発生させる原因となるために、中間転写ベルトクリーニングユニット６５によって除去および回収されるように設定されている。中間転写ベルトクリーニングユニット６５には、中間転写ベルト６１に接触する、たとえば、クリーニング部材としてクリーニングブレードが備えられており、クリーニングブレードが接触する中間転写ベルト６１は、裏側から中間転写ベルト従動ローラ６３で支持されている。
【００４５】
給紙カセット８１は、画像形成に使用するシートを蓄積しておくためのトレイであり、本体部１１０の露光ユニット１の下側に設けられている。手差し給紙カセット８２にも画像形成に使用するシートを載置することができる。本体部１１０の上方に設けられている排紙トレイ９１は、印刷済みのシートをフェイスダウンで集積するためのトレイである。
【００４６】
本体部１１０には、給紙カセット８１および手差し給紙カセット８２のシートを転写ローラ１０および定着ユニット７を経由させて排紙トレイ９１に送出するための、略垂直形状の用紙搬送路Ｓが設けられている。給紙カセット８１または手差し給紙カセット８２から排紙トレイ９１までの用紙搬送路Ｓの近傍には、ピックアップローラ１１ａ、ピックアップローラ１１ｂ、複数の搬送ローラ１２ａ〜搬送ローラ１２ｄ、レジストローラ１３、転写ローラ１０、定着ユニット７等が配されている。
【００４７】
搬送ローラ１２ａ〜搬送ローラ１２ｄは、シートの搬送を促進および補助するための小型のローラであり、用紙搬送路Ｓに沿って複数設けられている。また、ピックアップローラ１１ａは、給紙カセット８１の端部近傍に備えられ、給紙カセット８１からシートを１枚ずつピックアップして用紙搬送路Ｓに供給する。また、同様にして、ピックアップローラ１１ｂは、手差し給紙カセット８２の端部近傍に備えられ、手差し給紙カセット８２からシートを１枚ずつピックアップして用紙搬送路Ｓに供給する。
【００４８】
レジストローラ１３は、用紙搬送路Ｓを搬送されているシートを一旦保持するものである。そして、感光体ドラム３上のトナー像の先端とシートの先端を合わせるタイミングでシートを転写ローラ１０に搬送する機能を有している。
【００４９】
定着ユニット７は、ヒートローラ７１および加圧ローラ７２を備えており、ヒートローラ７１および加圧ローラ７２は、シートを挟んで回転するようになっている。また、ヒートローラ７１は、図示しない温度検出器からの信号に基づいて、画像形成装置１００の全体を制御または画像形成部を制御する制御部によって所定の定着温度となるように設定されており、加圧ローラ７２とともにトナーをシートに熱圧着することにより、シートに転写された多色トナー像を溶融、混合および圧接し、シートに対して熱定着させる機能を有している。
【００５０】
この定着ユニット７には、ヒートローラ７１を加熱するためのヒータ（ハロゲンヒータ等）が備えられている。
【００５１】
次に、シート搬送経路を詳細に説明する。上述のように、画像形成装置１００には予めシートを収納する給紙カセット８１および手差し給紙カセット８２が設けられている。これらの給紙カセット８１または手差し給紙カセット８２からシートを給紙するために、ピックアップローラ１１ａまたはピックアップローラ１１ｂが配置され、シートを１枚ずつ用紙搬送路Ｓに導くようになっている。
【００５２】
給紙カセット８１または手差し給紙カセット８２から搬送されるシートは、用紙搬送路Ｓの搬送ローラ１２ａによってレジストローラ１３まで搬送され、シートの先端と中間転写ベルト６１上の画像情報の先端を整合するタイミングで転写ローラ１０に搬送され、シート上に画像情報が書き込まれる。その後、シートは定着ユニット７を通過することによってシート上の未定着トナーが熱で溶融および固着されて、その後に配置された搬送ローラ１２ｂを経て排紙トレイ９１上に排出される。
【００５３】
上記の搬送経路は、シートに対する片面印字要求のときのものであるが、これに対して両面印字要求の時は、上記のように片面印字が終了し定着ユニット７を通過したシートの後端が最終の搬送ローラ１２ｂで把持されたときに、搬送ローラ１２ｂが逆回転することによってシートを搬送ローラ１２ｃ、１２ｄに導く。その後、レジストローラ１３を経てシート裏面に印字が行われた後にシートが排紙トレイ９１に排出される。
【００５４】
通常の用紙搬送路Ｓに対して、シートの表裏を反転させてシートを搬送させる搬送路を反転搬送路Ｒとして、図１に示す。上述したように、シートの第１面（表面）に印刷した後にこの反転搬送路Ｒを通過させるとシートの第２面（裏面）に中間転写ベルト６１が対向するので、この第２面に画像を形成できる。さらに、シートの第１面（表面）に印刷した後にこの反転搬送路Ｒを２回通過させるとシートの第１面（表面）に中間転写ベルト６１が対向するので、印刷済みの第１面に画像を重ねて形成できる。また、シートの第１面（表面）に印刷してからシートの第２面（裏面）に印刷した後にこの反転搬送路Ｒを通過させるとシートの第１面（表面）に中間転写ベルト６１が対向するので、印刷済みの第１面に画像を重ねて形成できる。
【００５５】
図１の画像形成装置１００の本体部１１０の上方に、手前側に突設して設けられた操作装置９０は、操作装置９０の表面の右側の領域に配置された、テンキー、およびその他の種々の操作ボタンであるハードウェアキーが備えられている板状の操作パネルと、操作装置９０の中央部から左側の領域に配置された、小型のタッチパネル一体型液晶表示装置から構成されている表示パネルとを含む。操作パネルと表示パネルとは一つの筐体に保持され、操作装置９０は全体として一体となるように構成されている。
【００５６】
この操作装置９０においては、表示パネルに、この画像形成装置１００の動作状態、ユーザが所望の機能を選択するために複数の機能が表示されるメニューおよびサブメニュー（メニューのさらに下位階層のメニュー）等が表示される。表示パネルの液晶表示装置の表示領域上には選択ボタンが表示され、この選択ボタンの表示されている領域を指で押すと、タッチパネルがその押された位置を検出する。プログラム上で選択ボタンの表示位置とタッチパネルが押された位置とを照合することにより、画像形成装置１００の機能設定および動作指示等が行なわれる。以下において、表示パネルをタッチパネルディスプレイと記載する場合がある。
【００５７】
このように、操作装置９０は、ユーザにより操作されるハードウェアキーおよびタッチパネルディスプレイで構成されるソフトウェアキーにより構成される操作部（後述する操作部３４０）と、タッチパネルディスプレイで構成される表示部（後述する表示部３５０）とで構成される。
【００５８】
［画像形成装置の動作モード］
本実施の形態に係る画像形成装置１００は、その動作モードとして、コピーモード、ファクシミリ送受信モード（タッチパネルディスプレイ画面例では「ファクス／イメージ送信」モードと記載）、プリンタモードおよびスキャナモード（タッチパネルディスプレイ画面例では「ドキュメントファイリング」モードと記載）を備える。以下においては、これらの動作モードを説明する。
【００５９】
−コピーモード−
以下において、コピーモードの動作説明を行なう。このコピーモードにおいては、主として、本体部１１０が動作することにより、コピー機能が実現される。なお、原稿を自動送りする場合には、自動原稿処理装置１２０が動作する。
【００６０】
画像形成装置１００においては、原稿載置台９２に置かれた原稿が画像データとして読取られ、読取られた画像データが制御部へ入力され、ここで画像データに各種の画像処理が施される。上述した構成を備える画像形成部は、この画像データによって示される原稿の画像を記録用紙に印刷する。
【００６１】
−ファクシミリモード−
以下において、ファクシミリモードの動作説明を行なう。このファクシミリモードにおいては、主として、送信動作は原稿読取部（スキャナ部）およびＦＡＸ通信部が動作することにより、受信動作はＦＡＸ通信部および画像形成部が動作することにより、ファクシミリ機能が実現される。
【００６２】
送信動作については以下の通りである。送信側の画像形成装置１００においては、ファクシミリモードを指定して、原稿載置台９２に置かれた原稿が原稿読取部により画像データとして読取られ、読取られた画像データが制御部に入力され、ここで画像データに各種の画像処理が施され、この画像データがＦＡＸ通信部へと出力される。ＦＡＸ通信部は、指定された送信側の回線を指定された送信先に接続して、画像データをファクシミリ通信規格に合致した通信データへ変換して、受信側のファクシミリ装置（たとえばファクシミリ機能を備えた画像形成装置１００）へ送信する。回線が接続されると、受信側の画像形成装置１００のＦＡＸ通信部は、送信側の画像形成装置１００のＦＡＸ通信部からの通信要求信号を検出して、応答信号を送信する。その後、たとえば、ＦＡＸ通信部は、送信側および受信側で互いに実装されている能力情報の受渡しを行ない利用可能な最大能力での通信速度および画像データの符号化・符号訂正方式などを決定してモデムの通信方式を設定する。この通信方式にあわせた画像信号形式を用いて、送信側の画像形成装置１００のＦＡＸ通信部から受信側の画像形成装置１００のＦＡＸ通信部へデータを送信する。送信が終了すると回線が切断される。
【００６３】
受信動作については以下の通りである。受信側の画像形成装置１００のＦＡＸ通信部は、受信したデータを画像データに変換して、画像形成部へ送る。なお、受信したデータを画像データへ変換するのは画像形成部であっても構わない。画像形成部は、上述したコピーモードにおける動作と同じように、受信したデータから変換された画像データによって示される原稿の画像を記録用紙に印刷する。
【００６４】
−プリンタモード−
以下において、プリンタモードの動作説明を行なう。このプリンタモードにおいては、主として、画像形成部が動作することにより、プリント機能が実現される。
【００６５】
ネットワークインターフェイスを介してコンピュータからプリントデータを受信すると、受信したプリントデータを画像データに変換して、画像形成部へ送る。なお、プリントデータを画像データへ変換するのは画像形成部であっても構わない。画像形成部は、上述したコピーモードにおける動作と同じように、プリントデータから変換された画像データによって示される原稿の画像を記録用紙に印刷する。
【００６６】
−スキャナモード−
以下において、スキャナモードの動作説明を行なう。このスキャナモードにおいては、主として、原稿読取部（スキャナ部）が動作することにより、スキャナ機能が実現される。
【００６７】
画像形成装置１００においては、原稿載置台９２に置かれた原稿が原稿読取部により画像データとして読取られ、読取られた画像データが制御部に入力され、ここで画像データに各種の画像処理が施され、この画像データが画像形成装置１００の記憶装置（ハードディスク）に記憶されたり（ドキュメントファイリング）、ネットワークに接続されたコンピュータへネットワークインターフェイスを介して送信されたり（スキャンｔｏフォルダ）、電子メールの添付ファイルとしてネットワークインターフェイスを介して送信されたり（スキャンｔｏメール）する。
【００６８】
［画像形成装置の制御ブロック構造］
本実施の形態に係る画像形成装置１００は、この画像形成装置１００が備える上述した機能の中のプリンタ機能を用いて、コンピュータから受信した印刷要求を処理する。この画像形成装置１００は、この印刷要求の処理中にキャンセル信号を受信すると、画像形成装置１００から出力された記録用紙を、使用できる記録用紙であるのか（正常に全ての印刷データが印刷されているのか）、そうではないのかを、ユーザが混同することなく分別することができるように、記録用紙にキャンセルコメントを印刷する。以下において、このようなキャンセルコメントを記録用紙に印刷する機能を実現する制御部３００を含む画像形成装置１００の制御ブロックについて説明する。
【００６９】
本実施の形態に係る画像形成装置１００は、図２に示す制御ブロックを備える。この図２を参照して、この画像形成装置１００の制御ブロックについて説明する。なお、図１に示す画像形成装置１００は、画像形成装置としての一般的機能を実現する制御ブロックを備えるが、それらの制御ブロックは、本発明の本質的部分である、印刷要求の処理中にキャンセル信号を受信すると、記録用紙にキャンセルコメントを印刷する処理とは直接関係するものではないので、その詳細についてはここでは説明しない。
【００７０】
図２に示すように、この画像形成装置１００の制御ブロックは、画像形成装置１００において検出された信号に基づいて画像形成部３６０および記録用紙搬送部３７０等を制御する制御部３００と、制御部３００に接続され、印刷要求が入力されるコンピュータとネットワーク回線を介して通信する通信部３１０と、制御部３００に接続され、用紙搬送路Ｓおよび反転搬送路Ｒにおける記録用紙を検出する記録用紙検出部３２０と、制御部３００に接続された、上述の操作装置９０で構成される操作部３４０および表示部３５０とを含む。制御部３００は、ＣＰＵ（Ｃｅｎｔｒａｌ  Ｐｒｏｃｅｓｓｉｎｇ  Ｕｎｉｔ）で構成されている。
【００７１】
さらに、この画像形成装置１００の制御ブロックは、上述した画像形成部３６０と、記録用紙を搬送する搬送ローラ等で構成される記録用紙搬送部３６０と、印刷要求の処理中にコンピュータからキャンセル信号を受信した場合に記録用紙に印刷するキャンセルコメントを生成するキャンセルコメント生成部３８０と、生成されたキャンセルコメントを格納するキャンセルコメント格納部３９０とを含む。また、この画像形成装置１００の制御ブロックは、制御部３００で実行されるプログラム、ジョブ状況およびキャンセルコメントの印刷設定内容等を記憶する記憶部３３０を備える。なお、以下において、キャンセルコメント格納部をコメントメモリと記載する場合がある。
【００７２】
キャンセルコメント生成部３８０は、印刷要求がキャンセルされたときに記録用紙がどの程度まで印刷されているのかに従って（記録用紙の空きスペースの大きさに従って）、キャンセルコメントを生成する。このキャンセルコメントとして、本実施の形態においては、記録用紙の空きスペースが大きい場合にその記録用紙に印刷する「同面用コメント」、記録用紙の空きスペースが小さい場合にその記録用紙の裏面に印刷する「裏面用コメント」、印刷途中の記録用紙の次の記録用紙に印刷する「前頁用コメント」の３種類がある。さらに、このキャンセルコメントは、強調のために文字が修飾されて生成される場合がある。
【００７３】
生成されたキャンセルコメントは、キャンセルコメント格納部３９０へ格納（記憶）されて、制御部３００により制御された画像形成部３６０および記録用紙搬送部３７０により、所定の記録用紙（印刷途中の記録用紙／次の記録用紙）の指定された面（表面／裏面）に印刷される。なお、キャンセルコメントを次ページへ印刷することが予め設定されたことが記憶部３３０に記憶されていると、記録用紙の空きスペースの大きさによらないで次ページにキャンセルコメントを印刷する。
【００７４】
［制御部のソフトウェア構造］
図２に示す制御部３００は、この画像形成装置１００において、キャンセルコメントを記録用紙に印刷する動作を、以下に示すソフトウェア構成を備えたプログラムを実行することにより、実現する。
【００７５】
この画像形成装置１００におけるソフトウェア構成を説明する前に、画像形成装置１００へ印刷を要求するコンピュータにおいて実行される印刷要求プログラムの制御構造について説明する。なお、このコンピュータの構造および制御ブロックは、ＣＰＵ、記憶メモリ、操作キーボードおよびマウス、モニタ、ネットワーク通信機能を備えた公知のコンピュータであるので、ここでは詳細に説明しない。
【００７６】
図３は、画像形成装置１００へ印刷を要求するコンピュータのＣＰＵで実行される、印刷要求プログラムの制御構造を示すフローチャートである。なお、このコンピュータの全体を制御するＣＰＵは、このようなプログラムと並行して、コンピュータとしての一般的機能を実現するプログラムを実行する。しかしながら、そのプログラムは、本発明の本質的部分とは直接関係するものではないので、その詳細についてはここでは説明しない。
【００７７】
図３を参照して、ステップ（以下、ステップをＳと記載する。）１０００にて、画像形成装置１００へ印刷を要求するコンピュータのＣＰＵ（以下、単にＣＰＵと記載する。）は、印刷要求を検出したか否かを判定する。このとき、ＣＰＵは、記憶メモリに記憶されたプリンタドライバが読み出されて、このプリンタドライバの印刷要求ボタンがマウスでクリック等されると印刷要求を検出したと判定する。印刷要求を検出したと判定されると（Ｓ１０００にてＹＥＳ）、処理はＳ１０１０へ移される。もしそうでないと（Ｓ１０００にてＮＯ）、この処理はＳ１０００へ戻されて印刷要求を検出したと判定されるまで待つ。なお、Ｓ１０００にてＮＯの場合、このプログラムを一旦終了させても構わない。
【００７８】
Ｓ１０１０にて、ＣＰＵは、印刷ジョブデータを画像形成装置１００へ送信する。なお、ＣＰＵはネットワークを介して印刷ジョブデータを画像形成装置へ送信する。このとき、ネットワークには複数の画像形成装置が接続されていても構わない。ＣＰＵは、プリンタドライバで選択された１台の画像形成装置へ印刷ジョブデータを送信する。また、印刷ジョブデータには、印刷を要求したユーザ名を含む。ユーザ名は、たとえば、コンピュータにログインしたユーザ名とすることができる。
【００７９】
Ｓ１０２０にて、ＣＰＵは、印刷要求が中止（キャンセル）される入力を検出したか否かを判定する。このとき、ＣＰＵは、印刷ジョブデータの送信先である画像形成装置１００を監視するプリンタドライバにおいて印刷中止ボタンがマウスでクリック等されると印刷要求がキャンセルされる入力を検出したと判定する。印刷要求がキャンセルされる入力を検出したと判定されると（Ｓ１０２０にてＹＥＳ）、処理はＳ１０３０へ移される。もしそうでないと（Ｓ１０２０にてＮＯ）、この処理は終了する。
【００８０】
Ｓ１０３０にて、ＣＰＵは、印刷ジョブデータの送信先の画像形成装置１００へ、印刷キャンセル信号を送信する。
【００８１】
図４および図５は、画像形成装置１００の制御部３００で実行される、キャンセルコメントを記録用紙に印刷する印刷処理プログラムの制御構造を示すフローチャートである。なお、画像形成装置１００の全体を制御する制御部３００は、このようなプログラムと並行して、画像形成装置としての一般的機能を実現するプログラムを実行する。しかしながら、そのプログラムは、本発明の本質的部分とは直接関係するものではないので、その詳細についてはここでは説明しない。
【００８２】
図４および図５を参照して、画像形成装置１００の制御部３００で実行される印刷処理プログラムについて説明する。
【００８３】
Ｓ２０００にて、画像形成装置１００の制御部（以下、単に制御部と記載する。）３００は、印刷ジョブデータをコンピュータから受信したか否かを判定する。この処理は、図３のＳ１０１０の処理に対応している。印刷ジョブデータをコンピュータから受信したと判定されると（Ｓ２０００にてＹＥＳ）、処理はＳ２０１０へ移される。もしそうでないと（Ｓ２０００にてＮＯ）、この処理はＳ２０００へ戻されて印刷要求を検出したと判定されるまで待つ。なお、Ｓ２０００にてＮＯの場合、このプログラムを一旦終了させても構わない。
【００８４】
Ｓ２０１０にて、制御部３００は、コンピュータから受信した印刷ジョブデータに基づいて、印刷処理を実行する。このとき、制御部３００は、画像形成部３６０および記録用紙搬送部３７０を制御して、印刷処理を実行する。
【００８５】
Ｓ２０２０にて、制御部３００は、印刷ジョブデータに基づく印刷処理を終了したか否かを判定する。印刷処理が終了したと判定されると（Ｓ２０２０にてＹＥＳ）、この処理は終了する。もしそうでないと（Ｓ２０２０にてＮＯ）、この処理はＳ２０３０へ移される。
【００８６】
Ｓ２０３０にて、制御部３００は、印刷キャンセル信号を、印刷ジョブデータを送信してきたコンピュータから受信したか否かを判定する。この処理は、図３のＳ１０２０の処理に対応している。印刷キャンセル信号をコンピュータから受信したと判定されると（Ｓ２０３０にてＹＥＳ）、処理はＳ２０４０へ移される。もしそうでないと（Ｓ２０３０にてＮＯ）、この処理はＳ２０１０へ戻されて印刷処理を継続して実行する。すなわち、印刷が終了するまでに印刷キャンセル信号を受信するとＳ２０３０にてＹＥＳと判定される。
【００８７】
Ｓ２０４０にて、制御部３００は、搬送路（用紙搬送路Ｓまたは反転搬送路Ｒ）に印刷済みの反転不可能な記録用紙があるか否かを判定する。このとき、制御部３００は、記録用紙検出部３２０にて検出された信号および画像形成部３６０における処理状態に基づいて、搬送路に印刷済みの反転不可能な記録用紙があるか否かを判定する。搬送路に印刷済みの反転不可能な記録用紙があると判定されると（Ｓ２０４０にてＹＥＳ）、処理はＳ２０５０へ移される。もしそうでないと（Ｓ２０４０にてＮＯ）、この処理は、Ｓ２０６０へ移される。
【００８８】
Ｓ２０５０にて、制御部３００は、搬送路にある印刷済みの反転不可能な記録用紙について、通常の排出処理を実行する。
【００８９】
Ｓ２０６０にて、制御部３００は、搬送路（用紙搬送路Ｓまたは反転搬送路Ｒ）に印刷途中の記録用紙（反転可能とする。）があるか否かを判定する。このときも、制御部３００は、Ｓ２０４０の処理と同様にして、搬送路に印刷途中の記録用紙があるか否かを判定する。搬送路に印刷途中の記録用紙があると判定されると（Ｓ２０６０にてＹＥＳ）、処理はＳ２０７０へ移される。もしそうでないと（Ｓ２０６０にてＮＯ）、この処理は、Ｓ２１８０へ移される。
【００９０】
Ｓ２０７０にて、制御部３００は、キャンセルコメントを次ページに印刷することが強制的に設定されているか否かを判定する。このとき、制御部３００は、記憶部３３０に記憶された「キャンセルコメント印刷設定」に基づいて、判定する。キャンセルコメントを次ページに印刷することが設定されていると判定されると（Ｓ２０７０にてＹＥＳ）、処理はＳ２１７０へ移される。もしそうでないと（Ｓ２０７０にてＮＯ）、この処理は、Ｓ２０８０へ移される。
【００９１】
Ｓ２０８０にて、制御部３００は、印刷途中の記録用紙にキャンセルコメントを印刷するスペースがあるか否かを判定する。このとき、制御部３００は、画像形成部３６０における画像形成状態に基づいて、判定する。印刷途中の記録用紙にキャンセルコメントを印刷するスペースがあると判定されると（Ｓ２０８０にてＹＥＳ）、処理はＳ２０９０へ移される。もしそうでないと（Ｓ２０８０にてＮＯ）、この処理は、Ｓ２１００へ移される。なお、Ｓ２０８０の判定対象面は、第１面であるとする。
【００９２】
Ｓ２０９０にて、制御部３００は、コメントメモリ３９０に、「同面用コメント」を格納する。「同面用コメント」は、印刷途中の記録用紙の空きスペースが大きい場合にその印刷途中の記録用紙の印刷面に印刷する場合のキャンセルコメントである。その後、この処理はＳ２１３０へ移される。
【００９３】
Ｓ２１００にて、制御部３００は、印刷途中の記録用紙における現在の印刷面は第１面であって第２面にコメント印刷スペースがあるか否かを判定する。このときも、制御部３００は、Ｓ２０８０の処理と同様にして、画像形成部３６０における画像形成状態に基づいて、判定する。なお、第１面とは両面印刷において先に印刷される面のことであって表面と同じ意味であり、第２面とは両面印刷において後に印刷される面のことであって裏面と同じ意味である。印刷途中の記録用紙における現在の印刷面は第１面であって第２面（裏面）に印刷されていない、または、第２面に印刷されていても第２面にコメント印刷スペースがあると判定されると（Ｓ２１００にてＹＥＳ）、処理はＳ２１１０へ移される。もしそうでないと（Ｓ２１００にてＮＯ）、この処理は、Ｓ２１７０へ移される。Ｓ２１００にてＹＥＳの場合とは、両面印刷であって、裏面にコメント印刷スペースがある場合（裏面に全く印刷されていないか印刷されていてもスペースがある場合）である。Ｓ２１００にてＮＯの場合とは、両面印刷であって、裏面にコメント印刷スペースがない場合である。
【００９４】
Ｓ２１１０にて、制御部３００は、搬送路にある印刷途中の記録用紙について、反転搬送路Ｒを用いた反転搬送処理を実行する。これにより、印刷されていない第２面またはコメント印刷スペースがある第２面へ印刷することが可能となる。
【００９５】
Ｓ２１２０にて、制御部３００は、コメントメモリ３９０に、「裏面用コメント」を格納する。「裏面用コメント」は、印刷途中の記録用紙の表面の空きスペースが小さい場合にその印刷途中の記録用紙の裏面に印刷する場合のキャンセルコメントである。その後、この処理はＳ２１３０へ移される。
【００９６】
Ｓ２１３０にて、制御部３００は、コメントメモリ３９０に格納された、「同面用コメント」または「裏面用コメント」を、印刷途中用紙の指定された面（第１面（表面）／第２面（裏面））に印刷する。
【００９７】
Ｓ２１４０にて、制御部３００は、キャンセルコメントが印刷された、搬送路にあった印刷途中の記録用紙について、通常の排出処理を実行する。
【００９８】
Ｓ２１５０にて、制御部３００は、搬送路（用紙搬送路Ｓまたは反転搬送路Ｒ）に印刷前の記録用紙があるか否かを判定する。このときも、制御部３００は、Ｓ２０４０の処理と同様にして、搬送路に印刷前の記録用紙があるか否かを判定する。搬送路に印刷前の記録用紙があると判定されると（Ｓ２１５０にてＹＥＳ）、処理はＳ２１６０へ移される。もしそうでないと（Ｓ２１５０にてＮＯ）、この処理は、終了する。
【００９９】
Ｓ２１６０にて、制御部３００は、搬送路にある印刷前の記録用紙について、通常の排出処理を実行する。
【０１００】
Ｓ２１７０にて、制御部３００は、搬送路にあった印刷途中の記録用紙について、通常の排出処理を実行する。なお、この記録用紙にはキャンセルコメントは印刷されていない。
【０１０１】
Ｓ２１８０にて、制御部３００は、搬送路（用紙搬送路Ｓまたは反転搬送路Ｒ）に印刷前の記録用紙があるか否かを判定する。このとき、制御部３００は、Ｓ２１５０の処理と同様にして、搬送路に印刷前の記録用紙があるか否かを判定する。搬送路に印刷前の記録用紙があると判定されると（Ｓ２１８０にてＹＥＳ）、処理はＳ２２００へ移される。もしそうでないと（Ｓ２１８０にてＮＯ）、この処理は、Ｓ２１９０へ移される。
【０１０２】
Ｓ２１９０にて、制御部３００は、次の記録用紙について、通常の供給処理を実行する。次の記録用紙にキャンセルコメントを印刷するためである。
【０１０３】
Ｓ２２００にて、制御部３００は、コメントメモリ３９０に、「前頁用コメント」を格納する。「前頁用コメント」は、印刷途中の記録用紙の空きスペースが少なくかつ裏面に印刷できない場合、または、次の記録用紙にキャンセルコメントを印刷することが強制的に設定されている場合に、印刷途中の記録用紙の次の記録用紙（搬送路にある印刷前の記録用紙を含む。）に印刷する場合のキャンセルコメントである。
【０１０４】
Ｓ２２１０にて、制御部３００は、コメントメモリ３９０に格納された、「前頁用コメント」を、搬送路にあった印刷前の記録用紙または新たに供給された次の記録用紙に印刷する。
【０１０５】
Ｓ２２２０にて、制御部３００は、キャンセルコメントが印刷された、搬送路にあった印刷前の記録用紙または新たに供給された次の記録用紙について、通常の排出処理を実行する。
【０１０６】
この画像形成装置１００においては、ユーザがキャンセルコメントをより識別しやすくするために、キャンセルコメントの文字が修飾されて生成される場合がある。図６を参照して、画像形成装置１００の制御部３００で実行されるコメント修飾処理プログラムについて説明する。
【０１０７】
Ｓ２３００にて、制御部３００は、キャンセルコメントの修飾が必要であるか否かを判定する。たとえば、このとき、制御部３００は、印刷データが全てモノクロであるとキャンセルコメントの修飾が必要であると判定するようにしてもよい。キャンセルコメントの修飾が必要であると判定されると（Ｓ２３００にてＹＥＳ）、処理はＳ２３１０へ移される。もしそうでないと（Ｓ２３００にてＮＯ）、この処理は終了する。
【０１０８】
Ｓ２３１０にて、制御部３００は、キャンセルコメントの修飾にカラーを使用するか否かを判定する。このとき、画像形成装置１００がモノクロ機である場合には当然にキャンセルコメントの修飾にカラーを使用しないと判定される。また、画像形成装置１００がカラー機である場合であっても、ユーザの設定により、キャンセルコメントの修飾にカラーを使用しないと判定されることがある。キャンセルコメントの修飾にカラーを使用すると判定されると（Ｓ２３１０にてＹＥＳ）、処理はＳ２３２０へ移される。もしそうでないと（Ｓ２３１０にてＮＯ）、この処理はＳ２３３０へ移される。
【０１０９】
Ｓ２３２０にて、制御部３００は、カラーを使用した、キャンセルコメントが修飾されたコメント修飾データを生成する。このとき、たとえば、コメント文字の色を黒以外に変更したコメント修飾データが生成される。その後、この処理は終了する。
【０１１０】
Ｓ２３３０にて、制御部３００は、カラーを使用しない、キャンセルコメントが修飾されたコメント修飾データを生成する。このとき、たとえば、コメント文字を黒ベタ白抜きに変更したコメント修飾データが生成される。
【０１１１】
この画像形成装置１００においては、ユーザにより印刷処理がキャンセルされたことを画像形成装置１００において確認できるように、画像形成装置１００の表示部３５０へ印刷ジョブの状況が表示される。図７を参照して、画像形成装置１００の制御部３００で実行されるキャンセル表示処理プログラムについて説明する。
【０１１２】
Ｓ２４００にて、制御部３００は、ジョブ状況キー（タッチパネルディスプレイ上に形成されたソフトウェアボタン）が押下されたか否かを判定する。ジョブ状況キーが押下されたと判定されると（Ｓ２４００にてＹＥＳ）、処理はＳ２４１０へ移される。もしそうでないと（Ｓ２４００にてＮＯ）、この処理はＳ２４２０へ移される。
【０１１３】
Ｓ２４１０にて、制御部３００は、ジョブ状況をタッチパネルディスプレイに表示する。このとき、印刷要求を送信したユーザ名、記録用紙のサイズ、印刷要求枚数および状況が表示される。なお、これらの表示項目はユーザにより設定することが可能である。
【０１１４】
Ｓ２４２０にて、制御部３００は、印刷キャンセル信号を、印刷ジョブデータを送信してきたコンピュータから受信したか否かを判定する。この処理は、図３のＳ１０２０の処理に対応している。印刷キャンセル信号をコンピュータから受信したと判定されると（Ｓ２４２０にてＹＥＳ）、処理はＳ２４３０へ移される。もしそうでないと（Ｓ２４２０にてＮＯ）、この処理は終了する。
【０１１５】
なお、このキャンセル表示処理プログラムにおける、Ｓ２４００の処理およびＳ２４１０の処理と、Ｓ２４２０の処理およびＳ２４３０の処理とを、別のサブルーチンプログラムとして構成して、並列的に実行させるようにしても構わない。
【０１１６】
［画像形成装置の動作］
以上のような構造およびフローチャートに基づく画像形成装置１００の動作について、図８〜図１０の表示画面例および図１１〜図１６の印刷例を参照して、説明する。
【０１１７】
−表示動作−
画像形成装置１００の操作装置９０を構成する表示部３５０には、メインメニュー画面として図８に示すような画面が表示される。この状態で、画面右側に表示された「ジョブ状況」キーを押下すると（Ｓ２４００にてＹＥＳ）、図９に示すように、画面の中央部にジョブ状況が表示される（Ｓ２４１０）。
【０１１８】
この図９に示す画面例を見たユーザは、この画像形成装置１００における印刷ジョブの進行状況を確認することができる。
【０１１９】
この画像形成装置１００が、印刷ジョブデータを送信してきたコンピュータから印刷キャンセル信号を受信すると（Ｓ２４２０にてＹＥＳ）、図８に示すメインメニュー画面または図９に示すジョブ状況表示画面から、図１０に示すように、キャンセル状況がポップアップ形式で表示部３５０に表示される。このとき、たとえば、図１０に示すように、「ユーザ◆◆の印刷処理がキャンセルされました。５頁中の３頁までが印刷されました。」と表示される。このため、ユーザは、キャンセルされた印刷ジョブがどこまで処理されたのかを容易に知ることができる。
【０１２０】
−キャンセルコメント印刷動作−
画像形成装置１００が、印刷ジョブデータを受信して（Ｓ２０００にてＹＥＳ）、印刷処理を実行しているときに（Ｓ２０１０、Ｓ２０２０にてＮＯ）、印刷キャンセル信号を受信すると（Ｓ２０３０にてＹＥＳ）、搬送路における記録用紙の状態および記録用紙への印刷状態が検出される。
【０１２１】
（１）印刷途中の記録用紙の印刷面（第１面：表面）にキャンセルコメント印刷
搬送路に印刷途中の記録用紙があって（Ｓ２０６０にてＹＥＳ）、次頁へのキャンセルコメントの印刷が強制的に設定されておらず（Ｓ２０７０にてＮＯ）、かつ、キャンセルコメント用のスペースがあると判定されると（Ｓ２０８０にてＹＥＳ）、コメントメモリ３９０へ同面用コメントが格納される（Ｓ２０９０）。
【０１２２】
この場合には、コメントメモリ３９０に格納された同面用のキャンセルコメントが、印刷途中の記録用紙に印刷されて、この記録用紙が排出される（Ｓ２１４０）。
【０１２３】
図１１に、この場合の印刷例を示す。図１１（Ａ）が、正常に印刷が終了した場合の印刷例である。図１１（Ｂ）に示すように、記録用紙の途中までは印刷ジョブデータに基づく印刷が実行されている（「ＡＢＣＤＥ、ＦＧＨ」まで）。それよりも下方のスペースに「キャンセルされた原稿です。」というキャンセルコメント（同面用コメント）が印刷されている。
【０１２４】
（２）印刷途中の記録用紙の印刷面（第２面：裏面）にキャンセルコメント印刷
搬送路に印刷途中の記録用紙があって（Ｓ２０６０にてＹＥＳ）、かつ、次頁へのキャンセルコメントの印刷が強制的に設定されていない場合であっても（Ｓ２０７０にてＮＯ）、キャンセルコメント用のスペースがあると判定されないと（Ｓ２０８０にてＮＯ）、現在の印刷面が第１面であって第２面にキャンセルコメント用のスペースがあるか否かが判定される（Ｓ２１００）。現在の印刷面が第１面であって第２面である裏面へのキャンセルコメントの印刷が可能であると判定されると（Ｓ２１００にてＹＥＳ）、印刷途中の記録用紙が反転搬送されて（Ｓ２１１０）、コメントメモリ３９０へ裏面用コメントが格納される（Ｓ２１２０）。
【０１２５】
この場合には、コメントメモリ３９０に格納された裏面用のキャンセルコメントが、印刷途中の記録用紙に印刷されて、この記録用紙が排出される（Ｓ２１４０）。
【０１２６】
図１２に、この場合の印刷例を示す。図１２（Ａ）が、正常に印刷が終了した場合の印刷例である。図１２（Ｂ）に示すように、記録用紙の途中までは印刷ジョブデータに基づく印刷が実行されている（「ＡＢＣＤＥ、ＦＧＨ、ＭＮＯＰＱ」まで）。それよりも下方のスペースはキャンセルコメントを印刷するには十分に大きくないので、この印刷途中の記録用紙の裏面に「裏面はキャンセルされた原稿です。」というキャンセルコメント（裏面用コメント）が印刷されている。
【０１２７】
（３）印刷途中の記録用紙の次の記録用紙にキャンセルコメント印刷
（３−１）搬送路に印刷途中の記録用紙がない場合（Ｓ２０６０にてＮＯ）、
（３−２）次頁へのキャンセルコメントの印刷が強制的に設定されている場合（Ｓ２０７０にてＹＥＳ）、または、
（３−３）搬送路に印刷途中の記録用紙があり、次頁へのキャンセルコメントの印刷が強制的に設定されておらず、キャンセルコメント用のスペースが印刷途中の記録用紙の第１面にも第２面にもない場合（Ｓ２０６０にてＹＥＳ、Ｓ２０７０にてＮＯ、Ｓ２０８０にてＮＯ、Ｓ２１００にてＮＯ）には、
印刷途中の記録用紙の次の記録用紙にキャンセルコメントが印刷される。このとき、コメントメモリ３９０へ前頁用コメントが格納される（Ｓ２２００）。なお、この場合において、キャンセルコメントが印刷される次の記録用紙が既に搬送路にある場合には（Ｓ２１８０にてＹＥＳ）、搬送路にあるその印刷前の記録用紙にキャンセルコメントが印刷され、次の記録用紙が搬送路にない場合には（Ｓ２１８０にてＮＯ）、搬送路に新たに供給された記録用紙にキャンセルコメントが印刷される。
【０１２８】
この場合には、コメントメモリ３９０に格納されたキャンセルコメントが、印刷途中の記録用紙に印刷されて、この記録用紙が排出される（Ｓ２２２０）。
【０１２９】
図１３および図１４に、この場合の印刷例を示す。図１３（Ａ）および図１４（Ａ）が、正常に印刷が終了した場合の印刷例である。
【０１３０】
図１３（Ｂ）に示すように、記録用紙の裏面の途中までは印刷ジョブデータに基づく印刷が実行されている（「ＱＷＥＲ、ＡＳＤ、Ｆ、ＺＸＣＶ」まで）。それよりも下方のスペースはキャンセルコメントを印刷するには十分に大きくないので、この印刷途中の記録用紙の次の記録用紙に「前頁はキャンセルされた原稿です。」というキャンセルコメント（前頁用コメント）が印刷されている。これが、上述した（３−３）の場合である。
【０１３１】
図１４（Ａ）に示すように、記録用紙の裏面の最後まで印刷ジョブデータに基づく印刷が実行されている（「ＱＷＥＲ、ＡＳＤ、Ｆ、ＺＸＣＶ、ＢＮＭ」まで印刷されて排出されている）。この記録用紙についてはキャンセルコメントを印刷することができないので、この印刷途中の記録用紙の次の記録用紙に「前頁はキャンセルされた原稿です。」というキャンセルコメント（前頁用コメント）が印刷されている。これが、上述した（３−１）の場合である。
【０１３２】
さらに、図１４（Ｂ）および図１４（Ｃ）に示すように、記録用紙の裏面の途中までは印刷ジョブデータに基づく印刷が実行されている。この場合において、次頁へのキャンセルコメントの印刷が強制的に設定されていると、この印刷途中の記録用紙の次の記録用紙に「前頁はキャンセルされた原稿です。」というキャンセルコメント（前頁用コメント）が、記録用紙におけるスペースの大きさに関わらず、印刷されている。これが、上述した（３−２）の場合である。
【０１３３】
なお、上述した、３つのキャンセルコメント、
「キャンセルされた原稿です。」というキャンセルコメント（同面用コメント）、
「裏面はキャンセルされた原稿です。」というキャンセルコメント（裏面用コメント）、
「前頁はキャンセルされた原稿です。」というキャンセルコメント（前頁用コメント）、
は、ユーザ（管理者であっても構わない。）により、適宜変更することが可能である。たとえば、自己以外のユーザへの記録用紙の処理を許可するような「キャンセルされた原稿です。」の部分を「キャンセルされた原稿ですので、破棄して下さい。」に変更することができる。
【０１３４】
−キャンセルコメント修飾動作−
キャンセルコメントを修飾する必要があると判定され（Ｓ２３００にてＹＥＳ）、かつ、カラーを使用すると判定されると（Ｓ２３１０にてＹＥＳ）、図１５に示すように、修飾されたキャンセルコメントが記録用紙に印刷される。
【０１３５】
図１５に示すように、キャンセルコメントが印刷データの文字色である黒色とは異なる赤色で印刷される。このため、キャンセルコメントをユーザが認識しやすくなる。
【０１３６】
また、キャンセルコメントを修飾する必要があると判定され（Ｓ２３００にてＹＥＳ）、かつ、カラーを使用しないと判定されると（Ｓ２３１０にてＮＯ）、図１６に示すように、修飾されたキャンセルコメントが記録用紙に印刷される。
【０１３７】
図１６に示すように、キャンセルコメントの文字が黒ベタ（黒地）に白抜きの文字で印刷される。このため、キャンセルコメントをユーザが認識しやすくなる。
【０１３８】
以上のようにして、本実施の形態に係る画像形成装置１００によると、印刷ジョブの処理途中で印刷要求がキャンセルされると、印刷途中の記録用紙の空きスペース、裏面、次の記録用紙に、ユーザが認識しやすい態様のキャンセルコメントが印刷されて出力される。また、画像形成装置の表示部にキャンセルされた印刷ジョブについての情報が表示される。このため、画像形成装置から出力された記録用紙を、使用できる記録用紙であるのか、そうではないのかを、ユーザが混同することなく分別することができる。
【０１３９】
＜第２の実施の形態＞
以下に、本発明の第２の実施の形態に係る画像形成装置について説明する。なお、本実施の形態に係る画像形成装置は、第１の実施の形態と異なる構造を備えた印刷処理プログラムを実行する。これら以外の画像形成装置１００の構成（図１、図２）については、上述した第１の実施の形態と同じであるため、ここでの詳細な説明は繰返さない。
【０１４０】
図１７は、本実施の形態に係る画像形成装置１００の制御部３００で実行される、キャンセルコメントを記録用紙に印刷する印刷処理プログラムの制御構造を示すフローチャートである。図１７に示すフローチャートは、第１の実施の形態における図５に対応する。図１７において、図５と同じ処理については同じステップ番号を付してある。それらの処理は同じであるため、ここでの詳細な説明は繰返さない。
【０１４１】
Ｓ３０００にて、制御部３００は、搬送路（用紙搬送路Ｓまたは反転搬送路Ｒ）に印刷済み（途中まで印刷済みを含む。）の反転可能な記録用紙があるか否かを判定する。このとき、制御部３００は、記録用紙検出部３２０にて検出された信号および画像形成部３６０における処理状態に基づいて、搬送路に印刷済みの反転可能な記録用紙があるか否かを判定する。搬送路に印刷済みの反転可能な記録用紙があると判定されると（Ｓ３０００にてＹＥＳ）、処理はＳ３０１０へ移される。もしそうでないと（Ｓ３０００にてＮＯ）、この処理は、終了する。
【０１４２】
Ｓ３０１０にて、制御部３００は、記録用紙の印刷済みの面に、画像形成部３６０により画像が形成できるように反転搬送処理を実行する。反転搬送路Ｒを通過させる回数を制御することにより、記録用紙の印刷済みの面に画像が形成できるように反転できる。
【０１４３】
Ｓ３０２０にて、制御部３００は、記録用紙の印刷済みの面に、画像形成部３６０により、大きな×印の画像を印刷する。
【０１４４】
Ｓ３０３０にて、制御部３００は、印刷済みの記録用紙は、両面印刷済みであるか否かを判定する。このときにも、制御部３００は、記録用紙検出部３２０にて検出された信号および画像形成部３６０における処理状態に基づいて、印刷済みの記録用紙は、両面印刷済みであるか否かを判定する。印刷済みの記録用紙は、両面印刷済みであると判定されると（Ｓ３０３０にてＹＥＳ）、処理はＳ３０４０へ移される。もしそうでないと（Ｓ３０３０にてＮＯ）、この処理は、Ｓ３０５０へ移される。
【０１４５】
Ｓ３０４０にて、制御部３００は、印刷済みの記録用紙の両面に大きな×印の画像が印刷済みであるか否かを判定する。このときにも、制御部３００は、記録用紙検出部３２０にて検出された信号および画像形成部３６０における処理状態に基づいて、印刷済みの記録用紙の両面に大きな×印の画像が印刷済みであるか否かを判定する。印刷済みの記録用紙の両面に大きな×印の画像が印刷済みであると判定されると（Ｓ３０４０にてＹＥＳ）、処理はＳ３０５０へ移される。もしそうでないと（Ｓ３０４０にてＮＯ）、この処理は、Ｓ３０１０へ戻される。
【０１４６】
Ｓ３０５０にて、制御部３００は、大きな×印の画像が印刷された、搬送路にあった印刷途中の記録用紙について、通常の排出処理を実行する。
【０１４７】
このようにすると、図１８（Ａ）に示すように表面の途中まで印刷されてキャンセルされた場合に、図１８（Ｂ）に示すように大きな×印の画像が印刷されるので、ユーザは正常に印刷処理が終了していない印刷物であることを容易に認識することができる。また、両面に印刷されている場合は、図１８に示すように、印刷面の両方に大きな×印の画像が印刷される。
【０１４８】
なお、本実施の形態において、印刷ジョブデータに基づく画像が途中まで印刷された記録用紙の画像に重ねて印刷される印は、このような大きな×印に限定されるものではない。たとえば、記録用紙の右上隅から左下隅までの斜線（または記録用紙の左上隅から右下隅までの斜線）であっても構わない。
【０１４９】
以上のようにして、本実施の形態に係る画像形成装置１００によっても、第１の実施の形態と同様に、印刷ジョブの処理途中で印刷要求がキャンセルされた場合に、印刷途中の記録用紙に、ユーザが認識しやすい態様の印が印刷されて出力される。このため、画像形成装置から出力された記録用紙を、使用できる記録用紙であるのか、そうではないのかを、ユーザが混同することなく分別することができる。
【０１５０】
＜変形例＞
本実施の形態に係る画像形成装置は、以下のように変形することもできる。たとえば、印刷途中の記録用紙の空きスペースの大きさに関わらず、次の記録用紙にキャンセルコメントを印刷するようにするのではなく、これに加えて／これに代えて、印刷途中の記録用紙の空きスペースの大きさに関わらず（ただし片面印刷の場合）、その記録用紙の裏面にキャンセルコメントを印刷するようにする。このようにすると、印刷領域を判定する必要がなくなる。
【０１５１】
また、上述した第１の実施の形態の一部を第２の実施の形態に組込むようにしても構わないし、第１の実施の形態と第２の実施の形態とを適宜組合わせるようにしても構わない。
【０１５２】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【０１５３】
１００  画像形成装置
３００  制御部
３１０  通信部
３２０  記録用紙検出部
３３０  記憶部
３４０  操作部
３５０  表示部
３６０  画像形成部
３７０  記録用紙搬送部
３８０  キャンセルコメント生成部
３９０  キャンセルコメント格納部
【図１】
0005461933.tif 000002
【図２】
0005461933.tif 000003
【図３】
0005461933.tif 000004
【図４】
0005461933.tif 000005
【図５】
0005461933.tif 000006
【図６】
0005461933.tif 000007
【図７】
0005461933.tif 000008
【図８】
0005461933.tif 000009
【図９】
0005461933.tif 000010
【図１０】
0005461933.tif 000011
【図１１】
0005461933.tif 000012
【図１２】
0005461933.tif 000013
【図１３】
0005461933.tif 000014
【図１４】
0005461933.tif 000015
【図１５】
0005461933.tif 000016
【図１６】
0005461933.tif 000017
【図１７】
0005461933.tif 000018
【図１８】
0005461933.tif 000019